(57)【要約】【課題】着用者が下着を着用した状態で仰向け、俯せ、又は側臥位になった場合においても、尿漏れを防ぐことができ、且つ取扱いの容易な下着及び吸水性パッドを提供する。【解決手段】下着１は、前布部５２Ａ、後布部５２Ｃ、マチ部５２Ｂ、及びカバー部８を備える。カバー部８は、前布部５２Ａ、後布部５２Ｃ、及びマチ部５２Ｂを覆う。カバー部８は収容部９０、第一開口部８９Ａ、及び第二開口部８９Ｃを備える。収容部９０は、前布部５２Ａ、マチ部５２Ｂ、及び後布部５２Ｃとの間に吸水性パッド１００を挿通可能である。第一開口部８９Ａは、前布部５２Ａにおいて、収容部９０の上部に設けられ、上方へ開口し、吸水性パッド１００が挿通可能である。第二開口部８９Ｃは、後布部５２Ｃにおいて、収容部９０の上部に設けられ、上方へ開口し、吸水性パッド１００が挿通可能である。【選択図】図３
2020018559.tif 000002
【特許請求の範囲】
【請求項１】
上部に設けられ、上方へ開口するウエスト開口部と、
前記ウエスト開口部の下方で左右に並んで配置され、下方に開口する一対のレッグ開口部と、
前記一対のレッグ開口部の間に配置されるマチ部と、
前記ウエスト開口部の前側から前記マチ部の前端部に亘って配置される前布部と、
前記ウエスト開口部の後側から前記マチ部の後端部に亘って配置される後布部と、
前記前布部、前記マチ部、及び前記後布部を覆うカバー部であって、
前記前布部、前記マチ部、及び前記後布部との間に吸水性パッドを挿入可能な収容部と、
前記前布部側において、前記収容部の上部に設けられ、前記ウエスト開口部の開口方向へ開口し、前記吸水性パッドが挿通可能な第一開口部と、
前記後布部側において、前記収容部の上部に設けられ、前記ウエスト開口部の開口方向へ開口し、前記吸水性パッドが挿通可能な第二開口部と
を備えるカバー部と
を備えることを特徴とする下着。
【請求項２】
前記前布部、前記マチ部、及び前記後布部は、液体を透過する液体透過素材から形成されることを特徴とする請求項１に記載の下着。
【請求項３】
前記カバー部は、前記前布部の上端から、前記マチ部を介して、前記後布部の上端まで覆うことを特徴とする請求項１又は２に記載の下着。
【請求項４】
前記カバー部は、防水性の素材から形成されていることを特徴とする請求項１〜３の何れかに記載の下着。
【請求項５】
前記前布部に設けられ、吸水性パッドと係合可能な第一係合部と、
前記後布部に設けられ、吸水性パッドと係合可能な第二係合部と
を更に備えることを特徴とする請求項１〜４の何れかに記載の下着。
【請求項６】
所定方向に厚みを有し且つ展開状態において前記所定方向と交差する長手方向に延び、請求項１〜５の何れかの下着に着脱可能な吸水性パッドであって、
前記所定方向の一方側に設けられ、液体を吸収する吸水シートと、
前記所定方向の他方側に設けられ、前記液体の漏えいを防ぐ防護シートと、
前記吸水シート又は前記防護シートに設けられ、前記吸水シート又は前記防護シートの少なくとも何れか一方を前記所定方向に貫通する貫通穴部と、
前記吸水シート又は前記防護シートの少なくとも何れか一方に設けられる袋部と
を備えることを特徴とする吸水性パッド。
【請求項７】
前記貫通穴部は、前記所定方向及び前記長手方向に交わる短手方向に延びることを特徴とする請求項６に記載の吸水性パッド。
【請求項８】
前記貫通穴部は、
前記長手方向の一方側の端部に設けられ、前記吸水シート及び前記防護シートを前記所定方向に貫通する第一貫通穴部と、
前記長手方向の他方側の端部に設けられ、前記吸水シート及び前記防護シートを前記所定方向に貫通する第二貫通穴部と
を備えることを特徴とする請求項６又は７に記載の吸水性パッド。
【請求項９】
前記第一貫通穴部は、前記吸水性パッドが前記下着に装着された状態で、請求項５に記載の前記下着が備える前記第一係合部と係合し、
前記第二貫通穴部は、前記吸水性パッドが前記下着に装着された状態で、請求項５に記載の前記下着が備える前記第二係合部と係合する
ことを特徴とする請求項８に記載の吸水性パッド。
【請求項１０】
前記袋部は、
前記吸水シート又は前記防護シートの少なくとも何れか一方、且つ前記長手方向の一方側に設けられ、手を挿入可能な第一袋部と、
前記吸水シート又は前記防護シートの少なくとも何れか一方、且つ前記長手方向の他方側に設けられ、手を挿入可能な第二袋部と
を備えることを特徴とする請求項６〜９の何れかに記載の吸水性パッド。
【発明の詳細な説明】
【技術分野】
【０００１】
本発明は、着用者が下着を着用した状態で仰向け、俯せ、又は側臥位になった場合においても、尿漏れを防ぐことができ、且つ取扱いの容易な下着及び吸水性パッドに関する。
【背景技術】
【０００２】
従来、例えば、特許文献１は、吸水性パッドを着脱可能な男性用下着と吸水性パッドを開示する。該男性用下着は、吸水性パッドを収容する収容部を備える。該吸水性パッドは、男性用下着の収容部に収容され、着用者の尿が漏れることを防ぐ。又、着用者等は、吸収性パッドの使用後において、男性用下着を交換せずに吸水性パッドを交換する。
【先行技術文献】
【特許文献】
【０００３】
【特許文献１】特開２０１８−６６０７６号公報
【発明の概要】
【発明が解決しようとする課題】
【０００４】
特許文献１に記載の男性用下着は、主として男性の下腹部の前側に収容部が設けられる。該収容部の形状に適するように形成された吸水性パッドは、着用者の前側の下腹部をカバーする。しかしながら、例えば、着用者が男性用下着を着用した状態で仰向け、俯せ、側臥位等の姿勢をとった場合、吸水性パッドが着用者の臀部をカバーしていないため、尿が臀部側へ漏れやすいという問題点がある。
【０００５】
本発明は、上記課題を解決するために成されたものであり、着用者が下着を着用した状態で仰向け、俯せ、又は側臥位になった場合においても、尿漏れを防ぐことができ、且つ取扱いの容易な下着及び吸水性パッドを提供することを目的とする。
【課題を解決するための手段】
【０００６】
請求項１の下着は、上部に設けられ、上方へ開口するウエスト開口部と、前記ウエスト開口部の下方で左右に並んで配置され、下方に開口する一対のレッグ開口部と、前記一対のレッグ開口部の間に配置されるマチ部と、前記ウエスト開口部の前側から前記マチ部の前端部に亘って配置される前布部と、前記ウエスト開口部の後側から前記マチ部の後端部に亘って配置される後布部と、前記前布部、前記マチ部、及び前記後布部を覆うカバー部であって、前記前布部、前記マチ部、及び前記後布部との間に吸水性パッドを挿入可能な収容部と、前記前布部側において、前記収容部の上部に設けられ、前記ウエスト開口部の開口方向へ開口し、前記吸水性パッドが挿通可能な第一開口部と、前記後布部側において、前記収容部の上部に設けられ、前記ウエスト開口部の開口方向へ開口し、前記吸水性パッドが挿通可能な第二開口部とを備えるカバー部とを備えることを特徴とする。
【０００７】
上記構成とすることにより、下着は、吸水性パッドを収容部に対して収容可能となる。収容部が、着用者等の下腹部を前布部、マチ部、後布部まで覆うサイズの吸水性パッドを収容可能である。これにより、着用者が仰向け、うつ伏せ、又は側臥位の状態であっても、下着の収容部に収容された吸水性パッドにより液体の漏れをより確実に防止できる。又、介護者等は、第一開口部又は第二開口部の何れかを介して、吸水性パッドを収容部に収容できる。更に、吸水性パッドを下着から取り外す場合、介護者等は、第一挿入口又は第一開口部の何れかを介して取り外すことができる。故に、吸水性パッドの着脱において、介護者等にとって利便性が高い。又、例えば、自宅、介護施設、又は医療等の現場において、介護者等の作業は、下着を履き替えさせずに吸水性パッドのみの交換で済む。従って、吸水性パッドの着脱にかかる介護者等への負担を低減できる。故に、下着は、取扱いが容易である。
【０００８】
請求項２の下着では、前記前布部、前記マチ部、及び前記後布部は、液体を透過する液体透過素材から形成されてもよい。この場合、下着に装着された吸水性パッドへ液体が透過しやすくなるため、下着に収容された吸水性パッドに液体が吸収されやすい。
【０００９】
請求項３の下着では、前記カバー部は、前記前布部の上端から、前記マチ部を介して、前記後布部の上端まで覆ってもよい。この場合、下腹部の全体を覆うサイズの吸水性パッドを着用可能となり、液体が漏れにくい。故に、着用者が仰向け、うつ伏せ、又は側臥位の状態であっても、下着の収容部に収容された吸水性パッドにより液体の漏れをより確実に防止できる。
【００１０】
請求項４の下着では、前記カバー部は、防水性の素材から形成されてもよい。この場合、吸水性パッドが吸収した液体の漏れを更に防止できる。
【００１１】
請求項５の下着では、前記前布部に設けられ、吸水性パッドと係合可能な第一係合部と、前記後布部に設けられ、吸水性パッドと係合可能な第二係合部とを更に備えてもよい。この場合、下着の第一係合部及び第二係合部が吸水性パッドと係合することより、収容部で吸水性パッドは位置固定される。
【００１２】
請求項６の吸水性パッドは、所定方向に厚みを有し且つ展開状態において前記所定方向と交差する長手方向に延び、請求項１〜５の何れかの下着に着脱可能な吸水性パッドであって、前記所定方向の一方側に設けられ、液体を吸収する吸水シートと、前記所定方向の他方側に設けられ、前記液体の漏えいを防ぐ防護シートと、前記吸水シート又は前記防護シートに設けられ、前記吸水シート又は前記防護シートの少なくとも何れか一方を前記所定方向に貫通する貫通穴部と、前記吸水シート又は前記防護シートの少なくとも何れか一方に設けられる袋部とを備えることを特徴とする。
【００１３】
上記構成とすることにより、吸水性パッドを下着に装着する場合、介護者等は、袋部に手を挿入した状態で、下着の収容部に吸水性パッドを押し込んで挿入できる。又、吸水性パッドを下着から取り出す場合、介護者等は、貫通穴部の何れかに手を挿入して吸水性パッドを引っ張って取り出せる。従って、介護者等は、下着を装着した状態で、吸水性パッドを容易に着脱できる。故に、吸水性パッドは、介護者等にとって利便性が高く、取り扱いが容易である。又、例えば、自宅、介護施設、又は医療等の現場において、介護者等の作業は、下着を履き替えさせずに吸水性パッドのみの交換で済む。故に、吸水性パッドの着脱にかかる介護者等への負担を低減できる。
【００１４】
請求項７の吸水性パッドでは、前記貫通穴部は、前記所定方向及び前記長手方向に交わる短手方向に延びてもよい。この場合、短手方向に貫通穴部が延びることで、下着に収容された吸水性パッドの貫通穴部に手を挿入しやすい。従って、吸水性パッドは取り扱いが容易である。故に、介護者等にとって利便性が高い。
【００１５】
請求項８の吸水性パッドでは、前記貫通穴部は、前記長手方向の一方側の端部に設けられ、前記吸水シート及び前記防護シートを前記所定方向に貫通する第一貫通穴部と、前記長手方向の他方側の端部に設けられ、前記吸水シート及び前記防護シートを前記所定方向に貫通する第二貫通穴部とを備えてもよい。この場合、介護者等は、第一貫通穴部又は第二貫通穴部に対して手を挿入して、下着から吸水性パッドを取り出すことができる。又、着用者の前側又は後側の何れかから吸水性パッドを取り出すことができる。故に、介護者等にとって利便性が高い。
【００１６】
請求項９の吸水性パッドでは、前記第一貫通穴部は、前記吸水性パッドが前記下着に装着された状態で、請求項５に記載の前記下着が備える前記第一係合部と係合し、前記第二貫通穴部は、前記吸水性パッドが前記下着に装着された状態で、請求項５に記載の前記下着が備える前記第二係合部と係合してもよい。この場合、吸水性パッドが下着に装着された状態で、位置固定される。従って、着用者等が動いた場合においても、吸水性パッドは位置ずれを起こしにくい。従って、介護者等の作業を減らすことができる。故に、介護者等にとって利便性が高い。
【００１７】
請求項１０の吸水性パッドでは、前記袋部は、前記吸水シート又は前記防護シートの少なくとも何れか一方、且つ前記長手方向の一方側に設けられ、手を挿入可能な第一袋部と、前記吸水シート又は前記防護シートの少なくとも何れか一方、且つ前記長手方向の他方側に設けられ、手を挿入可能な第二袋部とを更に備えてもよい。この場合、介護者等は、第一袋部又は第二袋部に手を挿入して、吸水性パッドを下着に着脱できる。従って、吸水性パッドは取り扱いが容易である。故に、介護者等にとって利便性が高い。
【図面の簡単な説明】
【００１８】
【図１】下着１及び展開状態の吸水性パッド１００を斜め上方から見た斜視図である。
【図２】展開状態の吸水性パッド１００をＩ−Ｉ線で左側面視した断面図である。
【図３】吸水性パッド１００を装着した状態の下着１を、図１のＩ−Ｉ線で左側面視した斜視図である。
【図４】吸水性パッド１００を装着した状態の下着２００を、図１のＩ−Ｉ線で左側面視した斜視図である。
【発明を実施するための形態】
【００１９】
以下、図面を参照し、本発明の第一実施形態を説明する。尚、以下の説明では、左右、前後、上下等の記載は、着用者にとっての方向を意味する。従って、図１における上、下、左、右を男性・女性兼用の下着１（以下、「下着１」という。）の上、下、右、左とし、紙面の表側を前、紙面の裏側を後とする。
【００２０】
＜下着１＞
図１に示すように、下着１は、着用者の腰にフィットさせるために上部に配されるウエスト開口部２と、着用者の脚を通すために左右に配される一対のレッグ開口部３と、該一対のレッグ開口部３の間に配される股下部４を有するパンツ本体部５から構成される。該パンツ本体部５の材質は、例えば、伸縮性を有する綿、絹、ウール、又は合成繊維等の布があげられる。
【００２１】
ウエスト開口部２には縁部７が設けられている。縁部７は、着用者の腰位置に相当する部分であり、パンツ本体部５の最上部に設けられている。縁部７は、弾性部材から構成され、一例として、ゴム状部材から構成される。縁部７の弾性力によって、腰にフィットさせるようにして着用後のズレ落ちを防止している。
【００２２】
下着１が備える前布部５２Ａ、マチ部５２Ｂ、及び後布部５２Ｃは、尿や汗等の液体を透過する素材から形成されている。前布部５２Ａ、マチ部５２Ｂ、及び後布部５２Ｃは、一例として、細かい目のあるネット状の生地である。尚、前布部５２Ａ、マチ部５２Ｂ、及び後布部５２Ｃは、液体を透過する素材から形成されているので、透過した液体が後述する吸水性パッド１００にスムーズに吸収される。尚、下着１は、男女兼用であるため、男性の下腹部と女性の下腹部とにフィットさせることが可能であるとよい。従って、前布部５２Ａ、マチ部５２Ｂ、後布部５２Ｃに伸縮率の高い素材を用いることで、異なる下腹部の形状に対応するとよい。
【００２３】
下着１の前身頃としての前布部５２Ａは、正面視において、逆台形状を呈し、下方に向けて左右の幅が狭くなる形状である。前布部５２Ａは、左側面視において、上端から下端に亘って前側且つ下側に向けて凸なＲ面を形成する。図示しないが、前布部５２Ａは、着用者の下腹部に直接接触する部分を含んでいる。パンツ本体部５の後見頃としての後布部５２Ｃは、前布部５２Ａと略同一の形状を呈する。即ち、後布部５２Ｃは、背面視において、逆台形状を呈し、下方に向けて左右の幅が狭くなる形状である。後布部５２Ｃは、左側面視において、上端から下端に亘って後側且つ下側に向けて凸なＲ面を形成する。図示しないが、前布部５２Ａは、着用者の下腹部に直接接触する部分を含んでいる。
【００２４】
下着１の股下部４は、平面視において、略長方形のマチ部５２Ｂから構成されている。マチ部５２Ｂの前部は、下着１の前身頃としての前布部５２Ａの下端に縫着されている（図３参照）。又、マチ部５２Ｂの後部は、パンツ本体部５の後身頃としての後布部５２Ｃの下端が縫着されている（図３参照）。マチ部５２Ｂは、側面視において、下側に向けて凸なＲ面を形成する。尚、マチ部５２Ｂの前後方向における長さは、通常のパンツのマチよりも半分程度になっている。
【００２５】
＜カバー部８＞
図１〜図３を参照して、前布部５２Ａ、後布部５２Ｃ、及びマチ部５２Ｂを覆うカバー部８について説明する。カバー部８は、前カバー部８Ａ、後カバー部８Ｃ、及び股下カバー部８Ｂで構成され、前布部５２Ａの上端から、マチ部５２Ｂを介して、後布部５２Ｃの上端まで覆う。前カバー部８Ａ、後カバー部８Ｃ、及び股下カバー部８Ｂは、所定の伸縮性を有する綿、絹、ウール、又は合成繊維等の布製によって形成される。下着１が男女兼用であるため、カバー部８の形状は、男性の下腹部と女性の下腹部とにフィットさせることが可能であるとよい。カバー部８は、伸縮率の高い素材を用いることで、男性及び女性の下腹部の形状に対応する。
【００２６】
前カバー部８Ａは、ウエスト開口部２の縁部７の前側と、股下部４の前側との間に亘って、パンツ本体部５の前布部５２Ａを覆うように設けられている。前カバー部８Ａは、正面視において、前布部５２Ａと略同一の形状を有し、全体が概ね逆台形状に形成される。
【００２７】
前カバー部８Ａは、前布部５２Ａとの２枚の布の左右の各端部を夫々縫い合わされている。又、前カバー部８Ａは、上部に開口部である第一開口部８９Ａが形成されている。従って、前カバー部８Ａと前布部５２Ａとは、後述する吸水性パッド１００の前パッド部１００Ａが収容される前側の収容部９０を形成する。前側の収容部９０は、正面視において、下方に向かって左右方向の幅が狭くなる逆台形状に形成される（図１参照）。
【００２８】
後カバー部８Ｃは、ウエスト開口部２の縁部７の後側と股下部４の後端との間に亘って、後布部５２Ｃを覆うように設けられている。後カバー部８Ｃは、背面視において、後布部５２Ｃと略同一の形状を有し、全体が概ね逆台形状に形成される。後カバー部８Ｃは、後布部５２Ｃとの２枚の布の左右の各端部を夫々縫い合わせて形成される。又、後カバー部８Ｃと後布部５２Ｃは、上部に開口部である第二開口部８９Ｃが形成されている。後カバー部８Ｃと後布部５２Ｃとは、後述する吸水性パッド１００の後パッド部１００Ｃが収容される後側の収容部９０を形成する。後側の収容部９０は、背面視において、下方に向かって左右方向の幅が狭くなるように形成される。
【００２９】
股下カバー部８Ｂは、前カバー部８Ａの下端と後カバー部８Ｃの下端との間に亘って、マチ部５２Ｂを覆うように設けられている。股下カバー部８Ｂは、平面視において、マチ部５２Ｂと略同一の形状を有し、全体が略長方形状に形成されている。股下カバー部８Ｂは、マチ部５２Ｂとの２枚の布の左右の各端部を夫々縫い合わせて形成される。図３に示すように、後カバー部８Ｃの下端部は、股下カバー部８Ｂの後端に縫着されている。又、前カバー部８Ａの下端部は、股下カバー部８Ｂの前端部に縫着されている。股下カバー部８Ｂとマチ部５２Ｂとは、正面視において、後述する吸水性パッド１００の股下パッド部１００Ｂが収容される収容部９０を形成する。股下部４の収容部９０は、平面視において、略長方形状に形成される（図示略）。
【００３０】
＜一対の面ファスナ４０、４１＞
前カバー部８Ａの上端部８８Ａ側と前布部５２Ａの上端部側には、封止部材である一対の面ファスナ４０が設けられている。一対の面ファスナ４０は、夫々、前カバー部８Ａの裏面と前布部５２Ａの表面とに設けられている。一対の面ファスナ４０の前カバー部８Ａの裏面及び後カバー部８Ｃの表面への固定は、縫着、接着、溶着等の何れで固定されてもよい。一対の面ファスナ４０は、一方がフック状に起毛され、他方がループ状に密集して起毛されており、一対の面ファスナ４０が互いに貼り付いて前カバー部８Ａと前布部５２Ａを封止する。
【００３１】
又、後カバー部８Ｃの上端部８８Ｃ側と後布部５２Ｃの上端部側には、封止部材である一対の面ファスナ４１が設けられている。一対の面ファスナ４１は、夫々、後カバー部８Ｃの裏面と後布部５２Ｃの表面とに設けられている。一対の面ファスナ４１の構成は、一対の面ファスナ４０と同一の構成であるため、詳細な説明は省略する。後述する吸水性パッド１００を収容部９０に収容後、一対の面ファスナ４０、４１で第一開口部８９Ａ、第二開口部８９Ｃを封止すれば、吸水性パッド１００が収容部９０から、第一開口部８９Ａ、第二開口部８９Ｃを介して脱落することがない。尚、一対の面ファスナ４０、４１の代わりにホックボタン等を設けてもよい。
【００３２】
＜吸水性パッド１００＞
次に、吸水性パッド１００について説明する。図１に示す吸水性パッド１００は、展開状態にける吸水性パッド１００を示している。吸水性パッド１００は、展開状態において、厚みを有する所定方向である前後方向に直交する短手方向である左右方向、及び所定方向及び短手方向と直交する長手方向である上下方向に延びる（図１参照）。吸水性パッド１００は、通常状態において、図３に示すような、着用者の下腹部の形状に沿った立体形状を呈している。
【００３３】
吸水性パッド１００は、下着１の収容部９０に取り付け又は取り外し可能であり、吸水性の素材から構成される。又、吸水性パッド１００は、下着１の前布部５２Ａ、マチ部５２Ｂ、及び後布部５２Ｃを通過した液体を吸収するパッドである。吸水性パッド１００は、前後方向において一定の厚みを有する。吸水性パッド１００の厚みは、例えば、３ｍｍ、５ｍｍ、１０ｍｍ等である。吸水性パッド１００の厚みは、素材の材質、及び吸水量等により、必要に応じた厚みを採用すればよい。尚、吸水性パッド１００は、水溶性の材質で構成され、水洗トイレに流すことが可能でもよい。
【００３４】
図２に示すように、吸水性パッド１００は、吸水シート１１１、防護シート１１３の二層構造である。吸水シート１１１、防護シート１１３は、夫々が重なり合っている。吸水シート１１１は、下着１の着用者側に設けられ、液体を吸収する。防護シート１１３は、吸水シート１１１に対して着用者側とは反対側に設けられる。防護シート１１３は、防水性の素材で構成されたシートである。従って、防護シート１１３は、吸水シート１１１が吸収した液体が漏れるのを防止する。尚、吸水シート１１１は、肌に接触する部分であるメッシュライナー等を設けてもよい。メッシュライナーは、肌触りのよい材質であり蒸れを防ぐ。
【００３５】
吸水性パッド１００は、前パッド部１００Ａ、後パッド部１００Ｃ、及び股下パッド部１００Ｂで構成される。図１に示すように、前パッド部１００Ａを構成する吸水シート１１１及び防護シート１１３は、正面視において、全体が概ね逆台形状に形成され、下方に向かって左右方向の幅が狭くなる形状である。又、前パッド部１００Ａを構成する吸水シート１１１及び防護シート１１３は、左側面視において、上端から下端に亘って前側且つ下側に向けて凸なＲ面を形成する（図３参照）。
【００３６】
図示しないが、後パッド部１００Ｃを構成する吸水シート１１１及び防護シート１１３は、背面視において、全体が概ね逆台形状に形成され、下方に向かって左右方向の幅が狭くなる形状である。又、後パッド部１００Ｃを構成する吸水シート１１１及び防護シート１１３は、左側面視において、上端から下端に亘って後側且つ下側に向けて凸なＲ面を形成する（図３参照）。
【００３７】
股下パッド部１００Ｂは、平面視において、略長方形状に形成される。股下パッド部１００Ｂの前端は、前パッド部１００Ａの下端と接続し、股下パッド部１００Ｂの後端は、後パッド部１００Ｃの下端と接続する（図３参照）。又、股下パッド部１００Ｂは、側面視において、下側に向けて凸なＲ面を形成する（図３参照）。従って、股下パッド部１００Ｂを構成する吸水シート１１１及び防護シート１１３は、側面視において、前端から後端に亘って下側に向けて凸なＲ面を形成する。従って、前パッド部１００Ａ、股下パッド部１００Ｂ、及び後パッド部１００Ｃが人体の下腹部に沿ったＲ面を形成するので、吸水性パッド１００を下腹部にフィットさせることができる。
【００３８】
＜第一袋部１１５、１１７、第二袋部１１６、１１８＞
図１〜図３に示すように、吸水性パッド１００は、更に、通常状態において下方に向けて開口し、人の手が挿入される第一袋部１１５、１１７、第二袋部１１６、１１８を備える。第一袋部１１５は、吸水性パッド１００の通常状態において、前パッド部１００Ａの防護シート１１３の上部に設けられている。第一袋部１１５の形状は、正面視において、前パッド部１００Ａの上部の形状と概ね同一である。即ち、第一袋部１１５は、正面視において、全体が概ね逆台形状に形成され、下方に向かって左右方向の幅が狭くなる形状である。第一袋部１１５の上端と下端は、左右方向に直線状に延びる。尚、第一袋部１１５の上端部は、半円形でもよいし、逆三角形状でもよい。又、図３に示すように、第一袋部１１５の形状は、側面視において、上端部から下端部に亘って前側且つ下側に向けて凸なＲ面を形成する。
【００３９】
第一袋部１１５は、上端に手を挿入するための挿入口１１５Ａを備える。第一袋部１１５の挿入口１１５Ａは、前パッド部１００Ａの上下方向における中央部に位置する。第一袋部１１５の挿入口１１５Ａを除く縁部は、防護シート１１３の縁部に溶着により固定されている。これにより、防護シート１１３の表面と第一袋部１１５の裏面は、空間１１５Ｂを形成する（図２参照）。故に、第一袋部１１５は、挿入口１１５Ａを介して、人の手を空間１１５Ｂに挿入可能となる。尚、第一袋部１１５は、防護シート１１３と同様の素材で構成されている。
【００４０】
第一袋部１１７は、吸水性パッド１００の通常状態において、前パッド部１００Ａの吸水シート１１１の上部に設けられている。第一袋部１１７の形状は、背面視において、前パッド部１００Ａの上部の形状と概ね同一である。即ち、第一袋部１１７は、背面視において、全体が概ね逆台形状に形成され、下方に向かって左右方向の幅が狭くなる形状である。第一袋部１１７の上端と下端は、左右方向に直線状に延びる。尚、第一袋部１１７の上端部は、半円形でもよいし、逆三角形状でもよい。第一袋部１１７の形状は、側面視において、上端部から下端部に亘って前側且つ下側に向けて凸なＲ面を形成してもよい。
【００４１】
第一袋部１１７は、上端に手を挿入するための挿入口１１７Ａを備える。第一袋部１１７の挿入口１１７Ａは、前パッド部１００Ａの上下方向における中央部に位置する。第一袋部１１７の挿入口１１７Ａを除く縁部は、吸水シート１１１の縁部に溶着により固定されている。これにより、吸水シート１１１の表面と第一袋部１１７の裏面は、空間１１７Ｂを形成する（図２参照）。故に、第一袋部１１７は、挿入口１１７Ａを介して、人の手を空間１１５Ｂに挿入可能となる。尚、第一袋部１１７は、吸水シート１１１と同様の素材で構成されている。
【００４２】
第二袋部１１６は、吸水性パッド１００の通常状態において、後パッド部１００Ｃの防護シート１１３の上部に設けられている。第二袋部１１６の形状は、背面視において、後パッド部１００Ｃの下部の形状と概ね同一である。即ち、第二袋部１１６は、背面視において、全体が概ね逆台形状に形成され、下方に向かって左右方向の幅が狭くなる形状である。第二袋部１１６の上端と下端は、左右方向に直線状に延びる。尚、第二袋部１１６の上端部は、半円形でもよいし、逆三角形状でもよい。又、図３に示すように、第二袋部１１６の形状は、左側面視において、上端部から下端部に亘って後側且つ下側に向けて凸なＲ面を形成する。
【００４３】
第二袋部１１６は、上端に手を挿入するための挿入口１１６Ａを備える。第二袋部１１６の夫々の挿入口１１６Ａは、後パッド部１００Ｃの上下方向における中央部に位置する。第二袋部１１６の挿入口１１６Ａを除く縁部は、防護シート１１３の縁部に溶着により固定されている。これにより、防護シート１１３の表面と第二袋部１１６の裏面は、空間１１６Ｂを形成する（図２参照）。故に、第二袋部１１６は、挿入口１１６Ａを介して、人の手を空間１１６Ｂに挿入可能となる。尚、第二袋部１１６は、防護シート１１３と同様の素材で構成されている。
【００４４】
第二袋部１１８は、吸水性パッド１００の通常状態において、後パッド部１００Ｃの吸水シート１１１の上部に設けられている。第二袋部１１８の形状は、背面視において、後パッド部１００Ｃの上部の形状と概ね同一である。即ち、第二袋部１１８は、背面視において、全体が概ね逆台形状に形成され、下方に向かって左右方向の幅が狭くなる形状である。第二袋部１１８の上端と下端は、左右方向に直線状に延びる。尚、第二袋部１１８の上端部は、半円形でもよいし、逆三角形状でもよい。第二袋部１１８の形状は、左側面視において、上端部から下端部に亘って後側且つ下側に向けて凸なＲ面を形成してもよい。
【００４５】
第二袋部１１８は、上端に手を挿入するための挿入口１１８Ａを備える。第二袋部１１８の挿入口１１８Ａは、後パッド部１００Ｃの上下方向における中央部に位置する。第二袋部１１８の挿入口１１８Ａを除く縁部は、吸水シート１１１の縁部に溶着により固定されている。これにより、吸水シート１１１の表面と第二袋部１１８の裏面は、空間１１８Ｂを形成する（図２参照）。故に、第二袋部１１８は、挿入口１１８Ａを介して、人の手を空間１１８Ｂに挿入可能となる。又、第二袋部１１８は、吸水シート１１１と同様の素材で構成されている。
【００４６】
尚、第一袋部１１５、１１７は、吸水性パッド１００の前パッド部１００Ａの両側に設けられているが、いずれか一方の片面にのみ設けられてもよい。又、第二袋部１１６、１１８は、吸水性パッド１００の後パッド部１００Ｃの両側に設けられているが、何れか一方の片面にのみ設けられてもよい。吸水性パッド１００は、第一袋部１１５、１１７及び第二袋部１１６、１１８のうち何れかを組み合わせて構成されてもよい。即ち、吸水性パッド１００は、第一袋部１１５と、第二袋部１１８のみが設けられてもよく、第二袋部１１６、１１８のみが設けられていてもよい。
【００４７】
＜第一貫通穴部１３２、第二貫通穴部１３３＞
図１〜図３に示すように、吸水性パッド１００は、人の手が挿入される第一貫通穴部１３２、第二貫通穴部１３３が設けられる。第一貫通穴部１３２は、吸水性パッド１００の通常状態において、前パッド部１００Ａの上端部に設けられている（図３参照）。第一貫通穴部１３２は、正面視において、短手方向である左右方向に延び、且つ吸水シート１１１及び防護シート１１３を前後方向に貫通する。第一貫通穴部１３２は、吸水性パッド１００の通常状態において、第一袋部１１５、１１７の上側に離間して設けられる。即ち、第一貫通穴部１３２、第一袋部１１５、１１７は、吸水性パッド１００の通常状態において、上から順に並んで配置される。
【００４８】
第二貫通穴部１３３は、吸水性パッド１００の通常状態において、第二袋部１１６、１１８の上端側に設けられる。第二貫通穴部１３３は、背面視において、短手方向である左右方向に延び、且つ吸水シート１１１及び防護シート１１３を前後方向に貫通する。第二貫通穴部１３３は、吸水性パッド１００の通常状態において、後パッド部１００Ｃの上端部に設けられている（図３参照）。第二貫通穴部１３３は、吸水性パッド１００の通常状態において、第二袋部１１６、１１８の上側に離間して設けられている。即ち、第二貫通穴部１３３、第二袋部１１６、１１８は、吸水性パッド１００の通常状態において、上から順に並んで配置される。
【００４９】
＜吸水性パッド１００の着脱＞
吸水性パッド１００の下着１への着脱について説明する。吸水性パッド１００は、着用者が下着１を着用した状態で、下着１の収容部９０に対して着脱可能である。一例として、吸水性パッド１００を下着１の前側から装着し、且つ下着１の前側から取り外す場合を説明する。始めに、下着１の着用者又は介護者等（以下、「介護者等」ともいう。）は、一対の面ファスナ４０、４１を非係合状態にする。次いで、介護者等は、第二袋部１１６（１１８）に手を挿入する。次いで、介護者等は、吸水性パッド１００の第二袋部１１６（１１８）側から、前カバー部８Ａの第一開口部８９Ａを介して収容部９０へ挿入する。介護者等は、第二袋部１１６（１１８）に挿入した手を操作して、股下部４まで吸水性パッド１００を押し込む。介護者等は、第二袋部１１６（１１８）から手を取り出すことで、吸水性パッド１００を開放する。
【００５０】
介護者等は、後カバー部８Ｃ側の第二開口部８９Ｃを介して収容部９０に手を挿入する。次いで、介護者等は、股下部４まで手を挿入し、第二貫通穴部１３３に手を引掛ける。次いで、介護者等は、第二開口部８９Ｃ側へ手を戻して、吸水性パッド１００を引き上げる。次いで、介護者等は、収容部９０の所定の位置に吸水性パッド１００の位置決めを行う。位置決めに関しては、第一袋部１１５、１１７、第二袋部１１６、１１８及び第一貫通穴部１３２、第二貫通穴部１３３等に手を挿入して行えばよい。次いで、介護者等は、一対の面ファスナ４０、４１を係合状態とする。
【００５１】
使用済みの吸水性パッド１００を取り出す場合、介護者等は、一対の面ファスナ４０を非係合状態とする。次いで、介護者等は、挿入口１１５Ａを介して、収容部９０に手を挿入する。介護者等は、収容部９０内の前側に配置された第一貫通穴部１３２に手を挿入し、使用済みの吸水性パッド１００を、第一開口部８９Ａを介して引っ張って取り出す。介護者等は、取り出された吸水性パッド１００を破棄する。その後、介護者等は、上記した手順で、新しい吸水性パッド１００を下着１に装着する。
【００５２】
尚、上記の説明では、吸水性パッド１００の装着では、前カバー部８Ａ側の第一開口部８９Ａから吸水性パッド１００を下着１に挿入したが、後カバー部８Ｃ側から吸水性パッド１００を挿入してもよい。この場合、介護者等は、第一袋部１１５（１１７）に手を挿入して、第二開口部８９Ｃを介して吸水性パッド１００を股下部４側の収容部９０に押し込んで挿入する。次いで、介護者等は、第一袋部１１５（１１７）から手を取り出し、吸水性パッド１００を開放する。次いで、介護者等は、第一開口部８９Ａから手を挿入し、股下部４付近に位置する第一貫通穴部１３２に手を挿入して吸水性パッド１００を引き上げる。介護者等は、吸水性パッド１００を収容部９０に対して位置決めする。
【００５３】
又、上記説明では、介護者等は、前カバー部８Ａ側の第一開口部８９Ａから使用後の吸水性パッド１００を取り出したが、後カバー部９Ｃ側から取り出してもよい。介護者等は、第二開口部８９Ｃから手を挿入し、第二貫通穴部１３３に手を挿入する。次いで、介護者等は、吸水性パッド１００を引き出す。即ち、介護者等は、第二貫通穴部１３３に手を挿入し、吸水性パッド１００を、第二開口部８９Ｃを介して取り出す。介護者等は、上記の着脱方法を適宜組み合わせて、作業しやすい方法で吸水性パッド１００の着脱を行えばよい。
【００５４】
＜第一実施形態の主たる作用・効果＞
以上、説明したように、下着１は、カバー部８を備え、カバー部８とパンツ本体部５との間に収容部９０が形成される。又、下着１のカバー部８は、第一開口部８９Ａ、第二開口部８９Ｃを備える。この場合、下着１は、吸水性パッド１００を収容部９０に対して収容可能となる。収容部９０が、着用者等の下腹部を前側から後側まで覆うサイズの吸水性パッドを収容可能である。これにより、着用者が仰向け、うつ伏せ、又は側臥位の状態であっても、下着１の収容部９０に収容された吸水性パッド１００により液体の漏れをより確実に防止できる。又、介護者等は、第一開口部８９Ａ又は第二開口部８９Ｃの何れかを介して、吸水性パッド１００を収容部９０に収容できる。更に、吸水性パッド１００を下着１から取り外す場合、介護者等は、第一開口部８９Ａ又は第二開口部８９Ｃの何れかを介して取り外すことができる。故に、吸水性パッド１００を着脱において、介護者等にとって利便性が高い。又、例えば、自宅、介護施設、又は医療等の現場において、介護者等の作業は、下着１を履き替えさせずに吸水性パッド１００のみの交換で済むので、吸水性パッド１００の着脱にかかる介護者等への負担を低減できる。故に、下着１は、取扱いが容易である。
【００５５】
下着１において、前布部５２Ａ、後布部５２Ｃ、及びマチ部５２Ｂは、液体を透過する液体透過素材から形成される。この場合、下着１に着用された吸水性パッド１００へ液体が透過しやすくなるため、吸水性パッド１００に液体が吸収されやすい。
【００５６】
カバー部８は、前布部５２Ａの上端から、マチ部５２Ｂを介して、後布部５２Ｃの上端まで覆う。この場合、下着１は、下腹部の全体を覆うサイズの吸水性パッド１００を着用可能となる。故に、着用者が仰向け、うつ伏せ、又は側臥位の状態であっても、下着１の収容部９０に収容された吸水性パッド１００により液体の漏れをより確実に防止できる。カバー部８は、防水性の素材から形成されている。この場合、吸水性パッド１００が吸収した液体の漏れを更に防止できる。
【００５７】
吸水性パッド１００は、第一貫通穴部１３２、第二貫通穴部１３３、第一袋部１１５、１１７及び第二袋部１１６、１１８を備える。従って、吸水性パッド１００を下着１に装着する場合、介護者等は、第一貫通穴部１３２、第二貫通穴部１３３の何れかに手を挿入した状態で、下着１の収容部９０に吸水性パッド１００を押しこんで挿入できる。又、吸水性パッド１００を下着１から取り出す場合、介護者等は、第一貫通穴部１３２、第二貫通穴部１３３の何れかに手を挿入して吸水性パッド１００を引っ張って取り出せる。従って、介護者等は、下着１を装着した状態で、吸水性パッド１００を容易に着脱できる。故に、吸水性パッド１００は、介護者等にとって利便性が高く取り扱いが容易である。又、例えば、自宅、介護施設、又は医療等の現場において、介護者等の作業は、下着１を履き替えさせずに吸水性パッド１００のみの交換で済む。故に、吸水性パッド１００の着脱にかかる介護者等への負担を低減できる。
【００５８】
第一貫通穴部１３２、第二貫通穴部１３３は、前後方向、及び展開状態における吸水性パッド１００の上下方向に交わる短手方向である左右方向に延びる。故に、左右方向延びる第一貫通穴部１３２、第二貫通穴部１３３に対して介護者等が手を挿入しやすい。従って、吸水性パッド１００は取り扱いが容易である。故に、介護者等にとって利便性が高い。
【００５９】
第一貫通穴部１３２は、展開状態において、吸水性パッド１００の上下方向の一方側の端部に設けられ、第二貫通穴部１３３は、長手方向の他方側の端部に設けられる。この場合、介護者等は、第一貫通穴部１３２又は第二貫通穴部１３３に対して手を挿入して、下着１から吸水性パッド１００を取り出すことができる。又、着用者の前側又は後側の何れかから吸水性パッド１００を取り出すことができる。故に、介護者等にとって利便性が高い。
【００６０】
第一袋部１１５、１１７は、長手方向の一方側に設けられ、手を挿入可能である。第二袋部１１６、１１８は、長手方向の他方側に設けられ、手を挿入可能である。この場合、介護者等は、第一袋部１１５（１１７）又は第二袋部１１６（１１８）に手を挿入して、吸水性パッド１００を下着に着脱できる。従って、吸水性パッド１００は取り扱いが容易である。故に、介護者等にとって利便性が高い。
【００６１】
＜変形例＞
以上、本発明の第一実施形態を説明したが、これらはあくまで例示にすぎず、本発明はこれらに限定されるものではない。下着１の形状は、適宜変更してよい。例えば、カバー部８が構成する収容部９０の形状は適宜変更してよい。この場合、吸水性パッド１００の形状と対応するとよい。又、例えば、下着１は、男女兼用であるが、男性専用又は女性専用としてもよい。この場合、男性の下腹部又は女性の下腹部の形状に沿った形状であるとよい。更に、吸水性パッド１００等の形状は、男性専用又は女性専用の下着の下腹部の形状に合わせた形状とし、男性専用又は女性専用の下着に着脱可能に形成されるとなおよい。これにより、着用者の着用感を更に向上させることができる。
【００６２】
下着１は、前布部５２Ａ、マチ部５２Ｂ、及び後布部５２Ｃで構成されたが、継ぎ目のない一体型で形成されてもよい。又、前布部５２Ａ及びマチ部５２Ｂが一体型で形成され、後布部５２Ｃと縫着してもよい。後布部５２Ｃ及びマチ部５２Ｂが一体型で形成され、前布部５２Ａと縫着してもよい。又、下着１のカバー部８は、前パッド部１００Ａ、股下パッド部１００Ｂ、及び後パッド部１００Ｃで構成されたが、継ぎ目のない一体型で形成されてもよい。又、前パッド部１００Ａ及び股下パッド部１００Ｂが一体型で形成され、後パッド部１００Ｃと接続してもよい。後パッド部１００Ｃ及び股下パッド部１００Ｂが一体型で形成され、後パッド部１００Ｃと接続してもよい。又、カバー部８の材質は、防水性の素材で形成されてもよい。即ち、前カバー部８Ａ、後カバー部８Ｃ、及び股下カバー部８Ｂは、防水性の素材で形成される。この場合においても、更に確実に液体の漏れを防ぐことができる。
【００６３】
前布部５２Ａは、窓部が設けられてもよい。窓部は、布材の柔軟性によって開口される。又、前布部５２Ａと前カバー部８Ａの左右方向の両側には、空気を流入、流出させるための通気開口部が設けられてよい。
【００６４】
下着１は、一対の面ファスナ４０、４１を備え、収容部９０を閉塞したが、一対の面ファスナ４０、４１は、吸水性パッド１００を位置固定するために使用されてもよい。この場合、一対の面ファスナ４０、４１は、例えば、両方とも係合面とする。被係合面は、例えば、前側の吸水性パッド１００の上端部の表面及び裏面の両側、且つ後側の吸水性パッド１００の上端部の表面及び裏面に夫々備えるとよい。これにより、吸水性パッド１００を位置決めした後、介護者等は、前側の吸水性パッド１００の上端部の被係合面を、一対の係合面で挟んで係合する。次いで、介護者等は、後側の吸水性パッド１００の上端部の被係合面を、一対の係合面で挟んで係合する。故に、吸水性パッド１００は、収容部９０内において、位置固定されるので、着用時においても位置ずれが起きにくい。これにより、収容部９０からの液体が漏れるのを確実に防止できる。尚、吸水性パッド１００が、通常状態において、上端部の両方に両面シールを備え、両面シールが下着１の上端部に対して接着することで位置固定してもよい。
【００６５】
第一貫通穴部１３２、第二貫通穴部１３３は、吸水性パッド１００の通常状態において、防護シート１１３及び吸水シート１１１の上端部に設けられたが、指を引掛けることが可能な場所であれば、どの位置に配置してもよい。例えば、第一貫通穴部１３２、第二貫通穴部１３３は、吸水シート１１１及び防護シート１１３の左上又は右上の角部に形成されてもよい。この場合、例えば、介護者等は、貫通穴部に手を挿入して、吸水性パッド１００の着脱を行う。従って、介護者等にとって利便性が高く、取り扱いが容易である。
【００６６】
又、第一貫通穴部１３２、第二貫通穴部１３３は、吸水シート１１１及び防護シート１１３の少なくとも何れか一方のみを貫通してもよい。この場合においても、介護者の手を挿入する袋部が形成されるので、介護者等にとって利便性が高く、取り扱いが容易である。尚、吸水シート１１１側に設けられた第一貫通穴部１３２、第二貫通穴部１３３は、上部に設けられてもよいし、それ以外の位置に設けられてもよい。第一貫通穴部１３２、第二貫通穴部１３３が設けられたが、何れか一方のみ設けられてもよい。又、第一貫通穴部１３２、第二貫通穴部１３３は設けられなくてもよい。この場合、例えば、介護者等は、第一袋部１１５、１１７、第二袋部１１６、１１８の何れかに手を挿入して吸水性パッドの着脱を行うとよい。第一袋部１１５、１１７、第二袋部１１６、１１８は、吸水性パッド１００の通常状態において、防護シート１１３及び吸水シート１１１の上部に設けられたが、指を引掛けることが可能な場所であれば、どの位置に配置してもよい。
【００６７】
第一貫通穴部１３２、第二貫通穴部１３３は、人の手が挿入される切欠き部であってもよい。切欠き部は、吸水シート１１１及び防護シート１１３の上部に設けられ、且つ吸水シート１１１及び防護シート１１３を所定方向である前後方向に貫通する。この場合においても、介護者等が切欠き部に手を引掛けやすいので、介護者等にとって利便性が高く、取り扱いが容易である。介護者等は、吸水性パッドを下着１から取り出す場合、手を引掛けて取り出すことができる。これにより、介護者等は、吸水性パッドを下着１から取り出しやすい。従って、吸水性パッドの挿入、装着、取り出しの時の利便性が向上する。
【００６８】
尚、切欠き部は、吸水シート１１１及び防護シート１１３の何れか一方のみを前後方向に貫通してもよい。この場合においても、切欠き部に指を引掛けることができるので、介護者等は、吸水性パッドを取り出しやすい。切欠き部は、吸水シート１１１及び防護シート１１３の上部に設けられているが、指を引掛けることが可能な場所であれば、どの位置に配置してもよい。
【００６９】
又、図示しないが、吸水性パッド１００は、取っ手部を設けてもよい。取っ手部は、例えば左右方向に長い略長方形状のシートであって、両端が防護シート１１３の上部且つ左右方向における端部で固定されていればよい。この場合、介護者等は、取っ手部に指を引掛けて吸水性パッド１００を下着１に着脱できる。故に、介護者等は、吸水性パッド１００等を取り出しやすい。取っ手部は、吸水シート１１１又は防護シート１１３の何れか一方にのみ設けられてもよいし、吸水シート１１１及び防護シート１１３の両側に設けられてもよい。尚、取っ手部の材質は、吸水シート１１１に設けた場合、吸水シート１１１と同様の素材であり、防護シート１１３に設けた場合、防護シートと同様の素材であることが望ましいが、異なる素材でもよい。
【００７０】
又、吸水性パッド１００のＲ面、即ち、吸水シート１１１、及び防護シート１１３のＲ面は、Ｃ面取りされたような形状でもよい。このような場合においても、男性又は女性の下腹部の形状に沿った形状であれば吸水性パッド１００を着脱しやすい。吸水性パッド１００は、側面視において、Ｒ面を形成したが、展開状態のようなフラットの形状でもよい。防護シート１１３、及び吸水シート１１１は、左右一対の布が左右方向の中央部で縫い合わされて、Ｒ面を形成してもよい。この場合、前布部５２Ａも同様に立体形状に形成されている。前カバー部８Ａの形状が立体形状である場合、男性の下腹部の形状に対してフィットしやすい。
【００７１】
上記実施形態の吸水性パッド１００等は、下着１に着用されるが、他の形状を有する下着に使用してもよい。例えば、下着１ではなく、パンツ（ズボン）等の内側にカバー部８を設けて、カバー部８内に吸水性パッド１００を装着すればよい。吸水性パッド１００等の備える構成は、適宜組み合わせて構成されればよい。又、上記の下着１及び吸水性パッド１００は、人に使用されたが、犬や猫等の動物用のパンツに吸水性パッドを着用可能であってもよい。この場合においても上記実施形態と同様の効果を得ることができる。
【００７２】
＜その他＞
第一貫通穴部１３２、第二貫通穴部１３３は、本発明の「貫通穴部」の一例である。第一袋部１１５、１１７、第二袋部１１６、１１８は、本発明の「袋部」の一例である。
【００７３】
図４を参照し、本発明の第二実施形態について説明する。第二実施形態の下着２００は、一対の面ファスナ４０、４１に代えて、面ファスナ２４０、２４１を備える点において第一実施形態の下着１とは異なる。第一実施形態と同一の箇所は、同じ符号を附し、説明を省略する。尚、下着２００には、第一実施形態の吸水性パッド１００が装着される。従って、吸水性パッド１００の下着２００に対する着脱、位置決めに関しても、一対の面ファスナ４０、４１の処理以外については、第一実施形態と同様の手順で行えるので説明を省略する。尚、吸水性パッド１００は、第一実施形態と同様のものとする。
【００７４】
面ファスナ２４０は、下着２００の前布部５２Ａの上側に設けられる。面ファスナ２４０の一方側の端部は、前布部５２Ａに縫着により固定されている。図示しないが、面ファスナ２４０は、正面視において、略長方形状を呈する。面ファスナ２４０の係合部は、表面の一端側に配置されている。被係合部は、面ファスナ２４０の展開状態において面ファスナの２４０の表面の他端部に配置され、面ファスナ２４０の係合部と係合可能である。面ファスナ２４０の左右方向の長さは、吸水性パッド１００の前パッド部１００Ａに設けられた第一貫通穴部１３２の左右方向の長さよりも若干短い。面ファスナ２４０の厚みは、第一貫通穴部１３２の上下方向における長さよりも若干短い。
【００７５】
面ファスナ２４１は、下着２００の後布部５２Ｃの上側に設けられる。面ファスナ２４１の一端側の端部は、後布部５２Ｃの上端部に縫着により固定されている。図示しないが、面ファスナ２４１は、正面視において、略長方形状を呈する。面ファスナ２４１の係合部は、表面の一端側に配置されている。被係合部は、面ファスナ２４１の展開状態において、面ファスナの２４１の表面の他端部に配置され、面ファスナ２４１の係合部と係合可能である。面ファスナ２４１の左右方向の長さは、吸水性パッド１００の後パッド部１００Ｃに設けられた第二貫通穴部１３３の長手方向である左右方向の長さよりも若干短い。面ファスナ２４１の厚みは、短手方向である第二貫通穴部１３３の上下方向における長さよりも若干短い。
【００７６】
＜吸水性パッド１００の位置固定＞
吸水性パッド１００の下着２００への位置固定の方法について説明する。下着２００の収容部９０への吸水性パッド１００の位置決めについては、第一実施形態と同様に行う。介護者等は、収容部９０に対して吸水性パッド１００を位置決めした状態で、面ファスナ４０の他端部側を、吸水性パッド１００の第一貫通穴部１３２に対して、前布部５２Ａ側から前カバー部８Ａ側へ向けて挿通する。次いで、介護者等は、第一貫通穴部１３２を挿通した他端部の被係合部を、一端部の係合部に対して係合状態にする。
【００７７】
次いで、介護者等は、後布部５２Ｃに一端が固定された面ファスナ２４１の他端部側を、吸水性パッド１００の第二貫通穴部１３３に対して、後布部５２Ｃ側から後カバー部８Ｃ側へ向けて挿通する。次いで、介護者等は、第二貫通穴部１３３を挿通した他端部の被係合部を、一端部の係合部に対して係合状態にする。収容部９０、カバー部８、吸水性パッド１００の大きさ、及び着用者の装着感等を考慮して、上方に対して適当な力が発生するように面ファスナ２４０、２４１の寸法等が定められる。これにより、吸水性パッド１００は、面ファスナ２４０、２４１により上方に適切な力が加えられた状態となるため、収容部９０の内部で位置固定される。
【００７８】
下着２００は、前カバー部８Ａの裏側の上端部に一対の面ファスナの係合部を備えてもよい。この場合、面ファスナ２４０は、展開状態において、他端部の被係合部とは反対側である裏側に一対の面ファスナの被係合部を備える。介護者等は、下着２００に対して吸水性パッド１００が位置固定された状態で、前カバー部８Ａの係合部と他端部の被係合部を係合する。
【００７９】
又、下着２００は、後カバー部８Ｃの裏側の上端部に一対の面ファスナの係合部を備える。面ファスナ２４１は、展開状態において、下端部の裏側に面ファスナの被係合部を備える。介護者等は、下着２００に対して吸水性パッド１００が位置固定された状態で、後カバー部８Ｃの係合部と面ファスナ２４１の裏側の被係合部を係合する。従って、前カバー部８Ａ、後カバー部８Ｃの第一開口部８９Ａ、第二開口部８９Ｃを閉じることができる。これにより、図４に示すように収容部９０の上端部が封止された状態となる。故に、液体の漏れをより確実に防ぐことができる。
【００８０】
＜第二実施形態の作用・効果＞
以上説明したように、第二実施形態においては、下着２００は、一対の面ファスナ２４０、２４１を第一貫通穴部１３２、第二貫通穴部１３３に対して夫々挿通し、係合部を被係合部に対して夫々係合する。これにより、吸水性パッド１００は、夫々の第一貫通穴部１３２、第二貫通穴部１３３が、一対の面ファスナ２４０、２４１により上方に対して一定の力が加えられた状態で下着２００に対して固定される。従って、着用者が寝返りを打った場合、即ち、仰向け、俯せ、側臥位へ動いた場合等においても、下着２００の収容部９０の内部で位置固定されているので、吸水性パッド１００は位置ずれを発生しにくい。故に、液体の漏れをより確実に防ぐことができる。従って、着用者及び介護者等にとって、利便性が高く、特に介護者等にかかる負担が低減される。尚、第二実施形態の下着２００の構成は、第一実施形態の下着１と面ファスナ２４０、２４１以外の構成が同じであり、下着２００に着用される吸水性パッド１００は、第一実施形態の吸水性パッドと同様の構造である。従って、第二実施形態は、上記の第二実施形態の効果に加えて、第一実施形態と同一の効果を奏する。
【００８１】
＜変形例＞
本発明は上記実施形態に限定されず、種々の変更が可能である。面ファスナ２４０は、１つ設けられているが、２以上設けられてもよい。この場合、例えば、第一貫通穴部１３２の両側と中央に挿通するように３つ設けられてもよい。面ファスナ２４１は、１つ設けられているが、２以上設けられてもよい。この場合、例えば、第二貫通穴部１３３の両側と中央に挿通するように３つ設けられてもよい。又、面ファスナ２４０、２４１の大きさは、適宜変更してよい。この場合、介護者等が作業しやすい大きさであるとよい。面ファスナ２４０、２４１は、係合部と被係合部が設けられたが、ファスナ等で構成されていてもよい。
【００８２】
第二実施形態では、位置固定のための面ファスナ２４０、２４１が設けられたが、これに限らない。例えば、面ファスナ２４０、２４１の代わりに、ボタンが設けられてもよい。ボタンは、面ファスナ２４０、２４１が設けられた位置と略同一の位置に設けられるとよい。ボタンは、収容部９０内部で吸水性パッド１００が位置決めされた状態で、被係合部としての第一貫通穴部１３２、第二貫通穴部１３３に対して係合する。これにより、吸水性パッド１００は、下着に対して位置固定できる。又、ボタンの数は、一つに限られず、複数のボタンが設けられてもよい。吸水性パッド１００は、貫通穴部の代わりに切欠き部を備え、面ファスナ２４０、２４１が切欠き部に対して挿通可能であっても良い。
【００８３】
＜その他＞
面ファスナ２４０は、本発明の「第一係合部」の一例である。面ファスナ２４１は、本発明の「第二係合部」の一例である。
【符号の説明】
【００８４】
１、２００      下着
２      ウエスト開口部
３      レッグ開口部
８      カバー部
５２Ａ      前布部
５２Ｂ      マチ部
５２Ｃ      後布部
８９Ａ      第一開口部
８９Ｃ      第二開口部
９０      収容部
１００      吸水性パッド
１１１      吸水シート
１１３      防護シート
１１５、１１７      第一袋部
１１６、１１８      第二袋部
１３２      第一貫通穴部
１３３      第二貫通穴部
【図１】
2020018559.tif 000003
【図２】
2020018559.tif 000004
【図３】
2020018559.tif 000005
【図４】
2020018559.tif 000006